(57)【要約】【課題】明るさやコントラストを低下させることなくブラー現象を低減可能とした装置および方法を実現する。【解決手段】フレームを時分割したサブフレームに基づいて、例えばＨＰＦにより高域強調サブフレームを生成し、ＬＰＦによって高域抑圧サブフレームを生成し、生成した高域強調サブフレームと高域抑圧サブフレームとを交互に表示する。本構成により、明るさやコントラストを低下させることなくブラー現象を低減させることが可能となる。すなわち、ブラー現象の目立つエッジや輪郭等の高域を抑圧した高域抑圧サブフレームを、高域強調サブフレームの間に表示することでブラーが低減され、高域抑圧サブフレームの挿入による画質に対する影響を高域強調サブフレームで補うことで、明るさやコントラストの低下のない画像表示が実現される。【選択図】図３
2007304204.tif 000002
【特許請求の範囲】
【請求項１】
面ホールド型の表示処理を行なう表示部に対する画像表示処理を実行する画像表示装置であり、
入力画像フレームを時分割して複数のサブフレームを生成するフレーム制御部と、
前記フレーム制御部の生成したサブフレームに対するフィルタリング処理を行い、高域強調サブフレームを生成する高域強調サブフレーム生成部と、
前記フレーム制御部の生成したサブフレームに対するフィルタリング処理を行い、高域抑圧サブフレームを生成する高域抑圧サブフレーム生成部と、
前記高域強調サブフレーム生成部の生成した高域強調サブフレームと、前記高域抑圧サブフレーム生成部の生成した高域抑圧サブフレームとを交互に表示部に出力する出力制御部と、
前記出力制御部の出力する高域強調サブフレームと高域抑圧サブフレームとを交互に表示する表示部と、
を有することを特徴とする画像表示装置。
【請求項２】
前記高域強調サブフレーム生成部は、
高域通過フィルタ（Ｈｉｇｈ  Ｐａｓｓ  Ｆｉｌｔｅｒ）と、加算処理部を有し、高域通過フィルタによるサブフレームに対するフィルタリング結果と、該フィルタリング実行前のサブフレームとの加算結果を高域強調サブフレームとする構成であることを特徴とする請求項１に記載の画像表示装置。
【請求項３】
前記高域抑圧サブフレーム生成部は、
低域通過フィルタ（Ｌｏｗ  Ｐａｓｓ  Ｆｉｌｔｅｒ）を有し、低域通過フィルタによるサブフレームに対するフィルタリング結果を高域抑圧サブフレームとする構成であることを特徴とする請求項１に記載の画像表示装置。
【請求項４】
前記高域強調サブフレーム生成部を構成する高域通過フィルタ（Ｈｉｇｈ  Ｐａｓｓ  Ｆｉｌｔｅｒ）と、前記高域抑圧サブフレーム生成部を構成する低域通過フィルタ（Ｌｏｗ  Ｐａｓｓ  Ｆｉｌｔｅｒ）は、各周波数における通過およびカット割合が相互に補完的な設定となるフィルタリング特性を有するフィルタとして構成されていることを特徴とする請求項１に記載の画像表示装置。
【請求項５】
前記フレーム制御部は、
入力画像としての６０Ｈｚ画像フレームを２つに時分割して１２０Ｈｚ画像サブフレームを生成し、
前記高域強調サブフレーム生成部および前記高域抑圧サブフレーム生成部の各々は、
前記フレーム制御部の生成した１２０Ｈｚ画像サブフレームに対応する高域強調サブフレームと、高域抑圧サブフレームとを生成する構成であり、
前記出力制御部は、
前記高域強調サブフレーム生成部の生成した高域強調サブフレームと、前記高域抑圧サブフレーム生成部の生成した高域抑圧サブフレームとを１／１２０ｓｅｃ間隔で交互に表示部に出力し、
前記表示部は、
前記出力制御部の出力する高域強調サブフレームと高域抑圧サブフレームとを１／１２０ｓｅｃ間隔で交互に表示する処理を実行する構成であることを特徴とする請求項１に記載の画像表示装置。
【請求項６】
前記表示部は、
液晶ディスプレイ（ＬＣＤ）または有機ＥＬによって構成される面ホールド型表示を行なう表示部であることを特徴とする請求項１から請求項５いずれかに記載の画像表示装置。
【請求項７】
画像信号の生成処理を実行する信号処理装置であり、
入力画像フレームを時分割して複数のサブフレームを生成するフレーム制御部と、
前記フレーム制御部の生成したサブフレームに対するフィルタリング処理を行い、高域強調サブフレームを生成する高域強調サブフレーム生成部と、
前記フレーム制御部の生成したサブフレームに対するフィルタリング処理を行い、高域抑圧サブフレームを生成する高域抑圧サブフレーム生成部と、
前記高域強調サブフレーム生成部の生成した高域強調サブフレームと、前記高域抑圧サブフレーム生成部の生成した高域抑圧サブフレームとを交互に表示部に出力する出力制御部と、
を有することを特徴とする信号処理装置。
【請求項８】
前記高域強調サブフレーム生成部は、
高域通過フィルタ（Ｈｉｇｈ  Ｐａｓｓ  Ｆｉｌｔｅｒ）と、加算処理部を有し、高域通過フィルタによるサブフレームに対するフィルタリング結果と、該フィルタリング実行前のサブフレームとの加算結果を高域強調サブフレームとする構成であることを特徴とする請求項７に記載の信号処理装置。
【請求項９】
前記高域抑圧サブフレーム生成部は、
低域通過フィルタ（Ｌｏｗ  Ｐａｓｓ  Ｆｉｌｔｅｒ）を有し、低域通過フィルタによるサブフレームに対するフィルタリング結果を高域抑圧サブフレームとする構成であることを特徴とする請求項７に記載の信号処理装置。
【請求項１０】
画像表示装置において画像処理を実行する画像処理方法であり、
フレーム制御部において、入力画像フレームを時分割して複数のサブフレームを生成するフレーム制御ステップと、
高域強調サブフレーム生成部において、前記フレーム制御部の生成したサブフレームに対するフィルタリング処理を行い、高域強調サブフレームを生成する高域強調サブフレーム生成ステップと、
高域抑圧サブフレーム生成部において、前記フレーム制御部の生成したサブフレームに対するフィルタリング処理を行い、高域抑圧サブフレームを生成する高域抑圧サブフレーム生成ステップと、
出力制御部において、前記高域強調サブフレームと、前記高域抑圧サブフレームとを交互に表示部に出力する出力制御ステップと、
を有することを特徴とする画像処理方法。
【請求項１１】
画像表示装置における画像処理を実行させるコンピュータ・プログラムであり、
フレーム制御部において、入力画像フレームを時分割して複数のサブフレームを生成させるフレーム制御ステップと、
高域強調サブフレーム生成部において、前記フレーム制御部の生成したサブフレームに対するフィルタリング処理を行い、高域強調サブフレームを生成させる高域強調サブフレーム生成ステップと、
高域抑圧サブフレーム生成部において、前記フレーム制御部の生成したサブフレームに対するフィルタリング処理を行い、高域抑圧サブフレームを生成させる高域抑圧サブフレーム生成ステップと、
出力制御部において、前記高域強調サブフレームと、前記高域抑圧サブフレームとを交互に表示部に出力させる出力制御ステップと、
を実行させることを特徴とするコンピュータ・プログラム。
【発明の詳細な説明】
【技術分野】
【０００１】
本発明は、画像表示装置、信号処理装置、および画像処理方法、並びにコンピュータ・プログラムに関する。さらに、例えば液晶ディスプレイなどの面ホールド型ディスプレイにおいて発生する画像のぼけであるブラー（Ｂｌｕｒｒｉｎｇ）現象を低減させた画像表示装置、信号処理装置、および画像処理方法、並びにコンピュータ・プログラムに関する。
【背景技術】
【０００２】
液晶ディスプレイ（ＬＣＤ）や有機ＥＬ等を利用したフラットパネルディスプレイ（ＦＰＤ）を利用した表示処理では、点順次インパルス駆動であるＣＲＴと異なり面ホールド表示による表示を行う。すなわち、例えば一般的なフレーム周波数６０Ｈｚで動作する場合、１つのフレームの表示期間（１／６０ｓｅｃ＝１６．７ｍｓｅｃ）毎にディスプレイ面全体で同一の画像をホールドする面ホールド型の表示を行なう。
【０００３】
このような面ホールド型の表示では、網膜残像による動画ぼけが発生する。すなわち、ＦＰＤなどの面ホールド型表示部に動く物体を表示した場合、目が移動表示物体を追従視することにより網膜上で画像がスリップして移動物体がぼけて見える所謂ブラー（Ｂｌｕｒｒｉｎｇ）現象が発生し動画品質を劣化させていた。
【０００４】
このブラー（Ｂｌｕｒｒｉｎｇ）現象を低減するための１つの構成として、高速応答性を有する表示装置を適用し、例えば１２０Ｈｚで表示切り替えを実行して、実際の表示画像を１／１２０ｓｅｃの期間に表示して、次の１／１２０ｓｅｃの期間に黒を表示し、次の１／１２０ｓｅｃの期間に次の実際の画像を表示し、さらに次に黒を表示するというように、表示されるフレーム間に黒を挿入してＦＰＤをインパルス駆動に近づける所謂黒挿入が提案されている。しかし、このように単純に黒を挿入した場合、その画像を観察する視聴者は、網膜上で黒を含めて明るさを積分する為、明るさやコントラストが半減してしまうという問題が発生する。
【０００５】
このような問題を解決する構成として、例えば特許文献１は、フレームをｎ倍速化した上で元フレーム未満の輝度レベルの映像をサブフレームとして挿入する構成とすることでインパルス駆動とコントラスト、明るさのトレードオフを実現する構成を提案している。
【０００６】
また、特許文献２においては、１フレーム期間の映像信号を複数のサブフレームに時分割して、時分割した複数のサブレーム間での輝度配分を調整して、時分割した複数のサブレームの輝度を積分した積分輝度を、オリジナルの１フレームの輝度と変わらない様に設定することで、明るさを低減させることなくインパルス駆動に近づける構成を開示している。
【０００７】
しかしながら、上述の特許文献１の構成では、インパルス駆動とコントラスト、明るさがトレードオフになり、ある程度のコントラストや明るさの低下は避けられないという問題がある。また、特許文献２の構成では、オリジナルフレームの画素の輝度レベルによっては、適切な輝度配分を行なって時分割フレームを設定しても十分な効果を得ることができない場合もある。特許文献２の構成においても、オリジナル画像の画素の画素値より低輝度の画素値を持つ時分割フレームを設定することが必要となるが、オリジナル画像の画素が元々低輝度である場合には、適切な画素値を持つ時分割フレームの設定が困難になるという問題がある。
【特許文献１】特開２００５−１２８４８８号公報
【特許文献２】特開２００５−１７３３８７号公報
【発明の開示】
【発明が解決しようとする課題】
【０００８】
本発明は、このような状況に鑑みてなされたものであり、液晶ディスプレイなどの面ホールド型ディスプレイにおいて発生する画像のぼけであるブラー（Ｂｌｕｒｒｉｎｇ）現象を、コントラストや明るさの低下を抑えながら低減させることを可能とした画像表示装置、信号処理装置、および画像処理方法、並びにコンピュータ・プログラムを提供することを目的とする。
【０００９】
さらに、詳細には、本発明は、入力画像を時分割したサブフレームを生成して、コントラスト変化が激しい部分（エッジ）、や輪郭等、周波数の高い画像領域（高域）を強調した高域強調サブフレームと、これらの高周波数領域を抑圧した高域抑圧サブフレームを生成して交互に出力することで、コントラストや明るさの低下を抑えてブラー（Ｂｌｕｒｒｉｎｇ）現象を低減させることを可能とした画像表示装置、信号処理装置、および画像処理方法、並びにコンピュータ・プログラムを提供することを目的とする。
【課題を解決するための手段】
【００１０】
本発明の第１の側面は、
面ホールド型の表示処理を行なう表示部に対する画像表示処理を実行する画像表示装置であり、
入力画像フレームを時分割して複数のサブフレームを生成するフレーム制御部と、
前記フレーム制御部の生成したサブフレームに対するフィルタリング処理を行い、高域強調サブフレームを生成する高域強調サブフレーム生成部と、
前記フレーム制御部の生成したサブフレームに対するフィルタリング処理を行い、高域抑圧サブフレームを生成する高域抑圧サブフレーム生成部と、
前記高域強調サブフレーム生成部の生成した高域強調サブフレームと、前記高域抑圧サブフレーム生成部の生成した高域抑圧サブフレームとを交互に表示部に出力する出力制御部と、
前記出力制御部の出力する高域強調サブフレームと高域抑圧サブフレームとを交互に表示する表示部と、
を有することを特徴とする画像表示装置にある。
【００１１】
さらに、本発明の画像表示装置の一実施態様において、前記高域強調サブフレーム生成部は、高域通過フィルタ（Ｈｉｇｈ  Ｐａｓｓ  Ｆｉｌｔｅｒ）と、加算処理部を有し、高域通過フィルタによるサブフレームに対するフィルタリング結果と、該フィルタリング実行前のサブフレームとの加算結果を高域強調サブフレームとする構成であることを特徴とする。
【００１２】
さらに、本発明の画像表示装置の一実施態様において、前記高域抑圧サブフレーム生成部は、低域通過フィルタ（Ｌｏｗ  Ｐａｓｓ  Ｆｉｌｔｅｒ）を有し、低域通過フィルタによるサブフレームに対するフィルタリング結果を高域抑圧サブフレームとする構成であることを特徴とする。
【００１３】
さらに、本発明の画像表示装置の一実施態様において、前記高域強調サブフレーム生成部を構成する高域通過フィルタ（Ｈｉｇｈ  Ｐａｓｓ  Ｆｉｌｔｅｒ）と、前記高域抑圧サブフレーム生成部を構成する低域通過フィルタ（Ｌｏｗ  Ｐａｓｓ  Ｆｉｌｔｅｒ）は、各周波数における通過およびカット割合が相互に補完的な設定となるフィルタリング特性を有するフィルタとして構成されていることを特徴とする。
【００１４】
さらに、本発明の画像表示装置の一実施態様において、前記フレーム制御部は、入力画像としての６０Ｈｚ画像フレームを２つに時分割して１２０Ｈｚ画像サブフレームを生成し、前記高域強調サブフレーム生成部および前記高域抑圧サブフレーム生成部の各々は、前記フレーム制御部の生成した１２０Ｈｚ画像サブフレームに対応する高域強調サブフレームと、高域抑圧サブフレームとを生成する構成であり、前記出力制御部は、前記高域強調サブフレーム生成部の生成した高域強調サブフレームと、前記高域抑圧サブフレーム生成部の生成した高域抑圧サブフレームとを１／１２０ｓｅｃ間隔で交互に表示部に出力し、前記表示部は、前記出力制御部の出力する高域強調サブフレームと高域抑圧サブフレームとを１／１２０ｓｅｃ間隔で交互に表示する処理を実行する構成であることを特徴とする。
【００１５】
さらに、本発明の画像表示装置の一実施態様において、前記表示部は、液晶ディスプレイ（ＬＣＤ）または有機ＥＬによって構成される面ホールド型表示を行なう表示部であることを特徴とする。
【００１６】
さらに、本発明の第２の側面は、
画像信号の生成処理を実行する信号処理装置であり、
入力画像フレームを時分割して複数のサブフレームを生成するフレーム制御部と、
前記フレーム制御部の生成したサブフレームに対するフィルタリング処理を行い、高域強調サブフレームを生成する高域強調サブフレーム生成部と、
前記フレーム制御部の生成したサブフレームに対するフィルタリング処理を行い、高域抑圧サブフレームを生成する高域抑圧サブフレーム生成部と、
前記高域強調サブフレーム生成部の生成した高域強調サブフレームと、前記高域抑圧サブフレーム生成部の生成した高域抑圧サブフレームとを交互に表示部に出力する出力制御部と、
を有することを特徴とする信号処理装置にある。
【００１７】
さらに、本発明の信号処理装置の一実施態様において、前記高域強調サブフレーム生成部は、高域通過フィルタ（Ｈｉｇｈ  Ｐａｓｓ  Ｆｉｌｔｅｒ）と、加算処理部を有し、高域通過フィルタによるサブフレームに対するフィルタリング結果と、該フィルタリング実行前のサブフレームとの加算結果を高域強調サブフレームとする構成であることを特徴とする。
【００１８】
さらに、本発明の信号処理装置の一実施態様において、前記高域抑圧サブフレーム生成部は、低域通過フィルタ（Ｌｏｗ  Ｐａｓｓ  Ｆｉｌｔｅｒ）を有し、低域通過フィルタによるサブフレームに対するフィルタリング結果を高域抑圧サブフレームとする構成であることを特徴とする。
【００１９】
さらに、本発明の第３の側面は、
画像表示装置において画像処理を実行する画像処理方法であり、
フレーム制御部において、入力画像フレームを時分割して複数のサブフレームを生成するフレーム制御ステップと、
高域強調サブフレーム生成部において、前記フレーム制御部の生成したサブフレームに対するフィルタリング処理を行い、高域強調サブフレームを生成する高域強調サブフレーム生成ステップと、
高域抑圧サブフレーム生成部において、前記フレーム制御部の生成したサブフレームに対するフィルタリング処理を行い、高域抑圧サブフレームを生成する高域抑圧サブフレーム生成ステップと、
出力制御部において、前記高域強調サブフレームと、前記高域抑圧サブフレームとを交互に表示部に出力する出力制御ステップと、
を有することを特徴とする画像処理方法にある。
【００２０】
さらに、本発明の第４の側面は、
画像表示装置における画像処理を実行させるコンピュータ・プログラムであり、
フレーム制御部において、入力画像フレームを時分割して複数のサブフレームを生成させるフレーム制御ステップと、
高域強調サブフレーム生成部において、前記フレーム制御部の生成したサブフレームに対するフィルタリング処理を行い、高域強調サブフレームを生成させる高域強調サブフレーム生成ステップと、
高域抑圧サブフレーム生成部において、前記フレーム制御部の生成したサブフレームに対するフィルタリング処理を行い、高域抑圧サブフレームを生成させる高域抑圧サブフレーム生成ステップと、
出力制御部において、前記高域強調サブフレームと、前記高域抑圧サブフレームとを交互に表示部に出力させる出力制御ステップと、
を実行させることを特徴とするコンピュータ・プログラムにある。
【００２１】
なお、本発明のコンピュータ・プログラムは、例えば、様々なプログラム・コードを実行可能な汎用コンピュータ・システムに対して、コンピュータ可読な形式で提供する記憶媒体、通信媒体、例えば、ＣＤやＦＤ、ＭＯなどの記憶媒体、あるいは、ネットワークなどの通信媒体によって提供可能なコンピュータ・プログラムである。このようなプログラムをコンピュータ可読な形式で提供することにより、コンピュータ・システム上でプログラムに応じた処理が実現される。
【００２２】
本発明のさらに他の目的、特徴や利点は、後述する本発明の実施例や添付する図面に基づくより詳細な説明によって明らかになるであろう。なお、本明細書においてシステムとは、複数の装置の論理的集合構成であり、各構成の装置が同一筐体内にあるものには限らない。
【発明の効果】
【００２３】
本発明の一実施例の構成によれば、フレームを時分割して生成したサブフレームに基づいて、高域強調サブフレームと高域抑圧サブフレームとを生成して、これらを例えば１／１２０ｓｅｃごとに交互に表示する構成とした。本構成により、明るさやコントラストを低下させることなくブラー（Ｂｌｕｒｒｉｎｇ）現象を低減した画像表示が実現される。すなわち、ブラー（Ｂｌｕｒｒｉｎｇ）現象の目立つ領域であるコントラスト変化が激しい部分（エッジ）、や輪郭等、周波数の高い画像領域（高域）を抑圧した高域抑圧サブフレームを、高域強調サブフレームの間に表示することで、ブラー（Ｂｌｕｒｒｉｎｇ）現象が低減され、また、高域抑圧サブフレームの挿入による画質に対する影響を高域強調サブフレームで補うことで、明るさやコントラストの低下のない画像表示が実現される。
【００２４】
また、本発明の一実施例の構成によれば、フレーム毎に電圧極性を＋と−とで反転させる所謂ＡＣ駆動を行なっても、黒画像のような極性０の画像を挿入することがないので、焼き付きや残像の発生を防止することが可能となり、従来のＡＣ駆動制御構成をそのまま適用できる。
【発明を実施するための最良の形態】
【００２５】
以下、図面を参照しながら本発明の画像表示装置、信号処理装置、および画像処理方法、並びにコンピュータ・プログラムの詳細について説明する。説明は以下の項目
に従って行なう。
１．ブラー（Ｂｌｕｒｒｉｎｇ）現象について
２．本発明の装置構成および処理の詳細
【００２６】
［１．ブラー（Ｂｌｕｒｒｉｎｇ）現象について］
まず、最初に、例えば液晶ディスプレイなどの面ホールド型ディスプレイにおいて発生する画像のぼけであるブラー（Ｂｌｕｒｒｉｎｇ）現象について説明する。前述したように、面ホールド表示による表示を行う表示装置では、表示される移動物体がぼけて見えてしまうというブラー（Ｂｌｕｒｒｉｎｇ）現象が発生する。すなわち、網膜残像による動画ぼけである。この現象について、図１を参照して説明する。
【００２７】
ディスプレイに表示された動画中の移動物体を観察する場合、観察者は移動物体の特徴点を滑らかに追従視する。液晶ディスプレイ（ＬＣＤ）や有機ＥＬ等、面ホールド表示を行なうフラットパネルディスプレイ（ＦＰＤ）は、１フレーム期間中同じ画像が表示され続ける。例えば一般的なフレーム周波数６０Ｈｚで動作する場合、１つのフレームの表示期間（１／６０ｓｅｃ＝１６．７ｍｓｅｃ）において１つの固定画像が継続して表示され、１／６０ｓｅｃ毎に次フレーム画像へ切り替えて表示される。このような面ホールド表示画像を観察する時、観察者の追従視している眼球の網膜上にはホールド表示された移動オブジェクトがスリップして映ることになり、これが所謂ぼけとしてのブラー（Ｂｌｕｒｒｉｎｇ）やモーションブラー（ＭｏｔｉｏｎＢｌｕｒ）と言う動画ボヤケとして認識される。
【００２８】
この現象を説明する図が図１である。図１に示すグラフは、面ホールド型表示を行なう表示装置における表示データの時間遷移を示している。縦軸に画面内で移動するオブジェクト位置を、横軸は時間方向を示している。面ホールド表示においては、上述したように１つのフレームの表示期間（１／６０ｓｅｃ＝１６．７ｍｓｅｃ）において１つの画像が継続して表示される。１フレーム目の表示時間はｔ０〜ｔ１、２フレーム目の表示時間はｔ１〜ｔ２、３フレーム目の表示時間はｔ２〜ｔ３となっており、各フレームの表示期間は１／６０ｓｅｃである。
【００２９】
オブジェクト１０が、たとえば等速で移動するオブジェクトである場合、ｔ０〜ｔ１の期間の１フレーム目におけるオブジェクト表示位置はＰ１に固定され、次のフレーム切り替えタイミングｔ１において、オブジェクト表示位置はＰ１からＰ２に大きく移動して、ｔ１〜ｔ２の期間の２フレーム目における表示位置はＰ２に固定される。さらに、次のフレーム切り替えタイミングｔ２において、オブジェクト表示位置はＰ２からＰ３に大きく移動して、ｔ２〜ｔ３の期間の３フレーム目における表示位置はＰ３に固定されることになる。
【００３０】
このように移動するオブジェクト１０を観察する視聴者は、図１に示す視線移動軌跡１１に沿って、オブジェクト１０を追従視する。しかし、画面上の移動オブジェクトの表示位置は、視線移動軌跡１１と異なる位置にある。例えばフレーム２からフレーム３に切り替えの発生する時間ｔ２では、Ｐ２からＰ３の表示位置の切り替えが発生し、ユーザは、Ｐ２の位置からＰ３の位置までのオブジェクトの大きなスリップ画像を観察することになる。結果として、このスリップ量に相当するオブジェクトのぼけ、すなわちブラー（Ｂｌｕｒｒｉｎｇ）現象が発生する。図１に示すユーザ２１の網膜上には、移動するオブジェクト１０の画像が、図に示す領域Ｂ１に広がりを持った大きなぼけ量を有するオブジェクト画像が観察されることになる。
【００３１】
一方オブジェクト１０が画面上において移動しない固定された位置にあるオブジェクトである場合、すなわちフレーム１〜３において位置Ｐ１に固定されている場合、図１に示すユーザ２２は、オブジェクト１０の画像を固定位置で観察するため視線移動軌跡１５は固定され、ユーザ２２の網膜上には固定されたオブジェクト像がくっきり観察され、ブラー（Ｂｌｕｒｒｉｎｇ）現象が発生することはない。
【００３２】
一方、面ホールド型表示とは異なるＣＲＴのようなディスプレイにおいて行われるインパルス駆動型の表示処理について図２を参照して説明する。ＣＲＴでは、各画素を順次駆動させて表示を行なっており、面ホールド型表示に比較すると各画素の表示期間が短く設定される。
【００３３】
このようなインパルス駆動型の表示では、図２に示すように、移動するオブジェクト３０がディスプレイに表示されている期間は短くなる。ユーザは、先の図１を参照して説明したと同様、図２に示す視線移動軌跡３１に沿って、オブジェクト３０を追従視する。この場合、画面上において移動オブジェクトが表示される位置は、視線移動軌跡３１と大きく離れる位置には設定されない。最も大きく離れる部分は、例えば図２に示す時間ｔａであるが、この場合においても、極めて小さいスリップ量となる。また、時間ｔ２においても同様の極めて小さいスリップ量となる。結果として、ユーザ４１の網膜では、大きなぼけ量としては観察されず、小さいぼけ量Ｂが認識される程度となり、図１を参照して説明した面ホールド型表示のようなブラー（Ｂｌｕｒｒｉｎｇ）現象の発生が抑制されることになる。
【００３４】
［２．本発明の装置構成および処理の詳細］
次に、本発明の装置構成および処理の詳細について説明する。本発明の画像表示装置では、ＬＣＤや有機ＥＬ、その他の様々な面ホールド型表示処理を実行する構成において、ブラー（Ｂｌｕｒｒｉｎｇ）現象の発生を抑制するとともに明るさやコントラストの低減を抑えた構成を実現する。具体的には、フレームを時分割してサブフレームを生成する際、画像に含まれるエッジや輪郭領域などの高周波数領域を強調した高域強調サブフレームと高域抑圧サブフレームとを生成して、これらを例えば１／１２０ｓｅｃごとに交互に表示することで、コントラストや明るさの低下を抑えてブラー（Ｂｌｕｒｒｉｎｇ）現象を低減させる。
【００３５】
一般的にディスプレイに表示される画像を観察する視聴者が、画像のぼけを大きく感ずる部分は、コントラスト変化が激しい部分（エッジ）や輪郭等、いわゆる空間周波数の高い画像領域である。一方、例えばディスプレイに表示された空などの一様な空間周波数の低い画像領域については、動きを伴う表示がなされた場合でもぼけを感じることは少ない。本発明では、このような視覚特性に基づいて、画像に含まれるエッジや輪郭領域などの高周波数領域と、それ以外の低周波数領域とに対して、それぞれの領域に応じた異なる処理を施すことで、コントラストや明るさの低下を抑えてブラー（Ｂｌｕｒｒｉｎｇ）現象を低減させる。
【００３６】
本発明の実行する画像表示処理では、入力画像を時分割したサブフレームを生成して、コントラスト変化が激しい部分（エッジ）、や輪郭等、周波数の高い画像領域（高域）を強調した高域強調サブフレームと、これらの高周波数領域を抑圧した高域抑圧サブフレームを生成して交互に出力する。ブラー（Ｂｌｕｒｒｉｎｇ）現象は画像における高周波領域でより目立つ現象であり、一方、明るさやコントラストは画像の直流成分が関係している。
【００３７】
本発明では、ブラー（Ｂｌｕｒｒｉｎｇ）現象の目立つ領域であるコントラスト変化が激しい部分（エッジ）、や輪郭等、周波数の高い画像領域（高域）を抑圧した高域抑圧サブフレームを、高域強調サブフレームの間に表示することで、ブラー（Ｂｌｕｒｒｉｎｇ）現象の効果的な低減を実現する。また、高域抑圧サブフレームの挿入による画質に対する影響を高域強調サブフレームで補うことで、明るさやコントラストの低下することのない画像表示を実現する。
【００３８】
本発明の処理の詳細について、図３以下を参照して説明する。図３は、本発明の画像表示装置における信号処理回路を示すブロック図である。本発明の画像処理装置は図３に示すようにフレーム制御部１０１、高域強調サブフレーム生成部１０２と、高域抑圧サブフレーム生成部としてのローパスフィルタ（ＬＰＦ）１０３と、セレクタ１０４、制御部１０５を有する。高域強調サブフレーム生成部１０２には、ハイパスフィルタ（ＨＰＦ）１２１と、加算器１２２が含まれる。
【００３９】
入力信号（ｉ＿ＤＡＴＡ）は、例えば、一般的な面ホールド型表示を行なう表示装置における表示データとして生成されるフレーム画像信号である。例えば１つのフレームの表示期間が１／６０ｓｅｃ＝１６．７ｍｓｅｃに設定された入力信号である。すなわち、垂直周波数６０Ｈｚの画像データであり、フレーム制御部１０１は、この６０Ｈｚの画像信号をｎ倍速化する。ｎは１より大きな値である。
【００４０】
フレーム制御部１０１は、入力画像をｎ倍速化して、１つのフレームをｎ個のサブフレームに分割して出力する。例えばｎ＝２とした場合、１つのフレームを２つのサブフレームに時分割して、６０Ｈｚの画像を１２０Ｈｚの画像に変換して出力する。具体的には、フレーム制御部１０１は、フレームメモリを有し、フレームメモリからのフレーム画像出力タイミングが制御部１０５によって制御されて、後段の高域強調サブフレーム生成部１０２のハイパスフィルタ（ＨＰＦ）１２１と、高域抑圧サブフレーム生成部としてのローパスフィルタ（ＬＰＦ）１０３に出力される。
【００４１】
ハイパスフィルタ（ＨＰＦ）１２１およびローパスフィルタ１０３においては、フレーム制御部１０１から時分割されたサブフレームを交互に入力して、それぞれの入力サブフレームに対する低域カット処理または高域カットを実行して出力する。
【００４２】
ハイパスフィルタ（ＨＰＦ）１２１は、高域通過フィルタ（Ｈｉｇｈ  Ｐａｓｓ  Ｆｉｌｔｅｒ）であり、入力するサブフレーム画像から空間周波数の低い部分をカットして、コントラスト変化が激しい部分（エッジ）や輪郭等、高周波数領域を通過させるフィルタリング処理を実行する。ハイパスフィルタ（ＨＰＦ）１２１の出力データは、加算器１２２において、フィルタリング処理を実行する前のオリジナル画像に基づくサブフレーム画像と加算されて、セレクタ１０４に出力される。加算器１２２の出力は、コントラスト変化が激しい部分（エッジ）や輪郭等、高周波数領域の強調された高域強調サブフレーム画像となる。
【００４３】
一方、ローパスフィルタ（ＬＰＦ）１０３は、低域通過フィルタ（Ｌｏｗ  Ｐａｓｓ  Ｆｉｌｔｅｒ）であり、入力するサブフレーム画像から空間周波数の高い部分をカットして、低周波数領域を通過させるフィルタリング処理を実行する。ローパスフィルタ（ＬＰＦ）１０３の出力データは、セレクタ１０４に出力される。ローパスフィルタ（ＬＰＦ）１０３の出力は、コントラスト変化が激しい部分（エッジ）や輪郭等、高周波数領域が抑圧された高域抑圧サブフレーム画像となる。なお、このＬＰＦ処理は高域が抑圧されるのみであり、低域成分としての直流成分に対する影響はなく、明るさやコントラストが大きく低下することはない。
【００４４】
セレクタ１０４は、加算器１２２の出力である高域強調サブフレームと、ローパスフィルタ（ＬＰＦ）１０３の出力である高域抑圧サブフレームとを、予め定めた出力タイミングで交互に出力する出力制御部として機能する。制御部１０５から出力されるタイミング制御信号によって各サブフレームの出力タイミングが制御される。
【００４５】
例えば、入力画像が６０Ｈｚの画像であり、フレーム制御部１０１において１２０Ｈｚのサブフレームが生成されて、ハイパスフィルタ（ＨＰＦ）１２１とローパスフィルタ（ＬＰＦ）１０３において、それぞれ１２０Ｈｚ対応のサブフレームに対するフィルタリング処理がなされて、これらの結果データがセレクタ１０４に入力される構成とした場合、１／１２０ｓｅｃ毎に、それぞれのサブフレーム画像、すなわち、加算器１２２の出力である高域強調サブフレームと、ローパスフィルタ（ＬＰＦ）１０３の出力である高域抑圧サブフレームを交互に出力する。
【００４６】
ＬＣＤ等の面ホールド型表示を実行する表示部には、この高域強調サブフレームと高域抑圧サブフレームとが１／１２０ｓｅｃごとに交互に表示されることになる。このように、本発明においては、ブラー（Ｂｌｕｒｒｉｎｇ）現象の目立つ領域であるコントラスト変化が激しい部分（エッジ）、や輪郭等、周波数の高い画像領域（高域）を抑圧した高域抑圧サブフレームを、高域強調サブフレームの間に表示することで、ブラー（Ｂｌｕｒｒｉｎｇ）現象を低減する。また、高域抑圧サブフレームの挿入による画質に対する影響、例えばコントラスト低下を高域強調サブフレームで補うことで、明るさやコントラストの低下することのない画像表示が実現される。
【００４７】
図４〜図６を参照して、本発明の実行する信号処理について説明する。図４は、本発明の装置における出力信号のベースとなるサブフレームの生成、出力処理を説明する図である。図には、
（ａ）入力垂直同期信号
（ｂ）入力データ（ｉ＿ＤＡＴＡ）
（ｃ）出力垂直同期信号
（ｄ）出力データ（ｏｕｔ＿ＤＡＴＡ）
これら（ａ）〜（ｄ）の信号の時間遷移を示している。時間（ｔ）は、図に示す時間軸に沿って左から右に経過する。
【００４８】
図に示す例は、（ａ）入力垂直同期信号は６０Ｈｚ対応の同期信号であり、（ｂ）入力データ（ｉ＿ＤＡＴＡ）はＦ０，Ｆ１，Ｆ２・・・が６０Ｈｚ対応のフレーム画像データに相当する。先に、図３を参照して説明したように、本発明の画像表示装置では、例えば６０Ｈｚ画像を１２０Ｈｚ画像として出力する。すなわち１フレーム画像から２つのサブフレーム画像を生成して出力する。
【００４９】
図に示すように、（ｃ）出力垂直同期信号は１２０Ｈｚの同期信号であり、この同期信号に従って、サブフレームＦ０，Ｆ０，Ｆ１，Ｆ１，Ｆ２・・・が順次、出力される。本発明の画像表示装置では、この信号処理を基本として、さらにサブフレームＦ０，Ｆ０，Ｆ１，Ｆ１，Ｆ２・・・を、それぞれ、高域強調サブフレームと高域抑圧サブフレームとして交互に出力する構成としたものである。
【００５０】
先に、背景技術の欄で説明した黒挿入処理に対応する入力および出力信号構成について、図５を参照して説明する。図５も、図４と同様、
（ａ）入力垂直同期信号
（ｂ）入力データ（ｉ＿ＤＡＴＡ）
（ｃ）出力垂直同期信号
（ｄ）出力データ（ｏｕｔ＿ＤＡＴＡ）
これら（ａ）〜（ｄ）の信号の時間遷移を示している。時間（ｔ）は、図に示す時間軸に沿って左から右に経過する。
【００５１】
図５に示す例では、１２０Ｈｚ出力画像を構成するサブフレームをオリジナル画像と同じ画像からなるオリジナル画像サブフレームと、画素値を黒に設定した黒画像サブフレームの組み合わせとして、この２つの画像を交互に表示する構成としたものである。このような黒挿入処理によりブラー（Ｂｌｕｒｒｉｎｇ）現象を低減させることが可能となる。これは、この黒挿入によって、先に、［１．ブラー（Ｂｌｕｒｒｉｎｇ）現象について］において説明した図１に示す面ホールド型表示を、図２に示すインパルス駆動と同様の表示態様に設定することに相当するからである。しかし、この処理によって試聴者の見る画像は、画面全体が暗くなりまたコントラストが低下した画像となってしまう。
【００５２】
また、ＬＣＤの場合、焼き付きや残像防止の為、ライン毎、フレーム毎に電圧極性を＋と−とで反転させる所謂ＡＣ駆動を行なうことが必要となる。しかし、図５に示す例のように、フレーム毎に単純に黒のサブフレームを挿入すると、黒データは＋−０となり、実データに対応するサブフレームが＋または−の一方が連続する設定となってしまい、ＡＣ駆動のシーケンスが崩れ、焼き付きや残像が発生してしまうという問題がある。この問題を解決するためには新たなＡＣ駆動制御構成を備えることが必須となる。
【００５３】
図６は、図３を参照して説明した本発明の信号処理に従った入出力信号の対応を示す図である。図６も、図４、図５と同様、
（ａ）入力垂直同期信号
（ｂ）入力データ（ｉ＿ＤＡＴＡ）
（ｃ）出力垂直同期信号
（ｄ）出力データ（ｏｕｔ＿ＤＡＴＡ）
これら（ａ）〜（ｄ）の信号の時間遷移を示している。時間（ｔ）は、図に示す時間軸に沿って左から右に経過する。
【００５４】
図６に示す例も、入力画像が６０Ｈｚの画像であり、出力を１２０Ｈｚのサブフレームからなる画像とした例である。すなわち、図３に示すフレーム制御部１０１における画像フレームのｎ分割処理によるサブフレーム生成を、ｎ＝２として設定して１２０Ｈｚのサブフレームを生成した場合の処理に相当する。
【００５５】
図６に示す（ｃ）出力垂直同期信号は１２０Ｈｚの同期信号であり、この同期信号に従って、サブフレームＦ０，Ｆ０，Ｆ１，Ｆ１，Ｆ２・・・が順次、図６に示すように、サブフレームＦ０，Ｆ０，Ｆ１，Ｆ１，Ｆ２・・・は、それぞれ、高域強調サブフレームと高域抑圧サブフレームとが交互に出力される構成となっている。
【００５６】
すなわち、高域強調サブフレームは、図３に示すハイパスフィルタ（ＨＰＦ）１２１において高域通過フィルタリング処理がなされたＨＰＦ処理データと、加算器１２２において、フィルタリング処理実行前のデータとの加算結果として生成される高域強調サブフレームであり、高域抑圧サブフレームは、図３に示すローパスフィルタ（ＬＰＦ）１０３において低域通過フィルタリング処理によって、空間周波数の高い部分がカットされた高域抑圧サブフレームである。
【００５７】
ＬＣＤ等の面ホールド型表示を実行する表示部には、この高域強調サブフレームと高域抑圧サブフレームとが１／１２０ｓｅｃごとに交互に表示される。前述したように、ブラー（Ｂｌｕｒｒｉｎｇ）現象の目立つ領域であるコントラスト変化が激しい部分（エッジ）、や輪郭等、周波数の高い画像領域（高域）を抑圧した高域抑圧サブフレームを、高域強調サブフレームの間に表示することで、ブラー（Ｂｌｕｒｒｉｎｇ）現象が低減される。また、高域抑圧サブフレームの挿入による画質に対する影響を高域強調サブフレームで補うことで、明るさやコントラストの低下することのない画像表示が実現される。
【００５８】
例えば１２０Ｈｚで更新するＦＰＤ（フラットパネル・ディスプレイ）を使用して６０Ｈｚのソース画像を表示した場合に１フレームを単純に２回表示するのではなく、高域強調サブフレームと高域抑圧サブフレームとを１／１２０ｓｅｃごとに交互に表示することで、画像の特徴点である高域成分ではフレーム毎に黒が挿入されたこととほぼ同じ効果が表れ、結果として高域成分は１／６０秒周期で表示されたインパルス駆動に近づくが低域は、ほとんど何も処理されないデータであるため、明るさやコントラストを全く犠牲にすることなくブラー（Ｂｌｕｒｒｉｎｇ）現象を低減することができる。
【００５９】
また、このような表示処理とすることで、図５に示す例のように、フレーム毎に単純に黒のサブフレームを挿入する場合に生じたＡＣ駆動の問題点が発生することがない。すなわち、フレーム毎に電圧極性を＋と−とで反転させる所謂ＡＣ駆動を行なっても、黒画像のような極性０の画像を挿入することがないので、焼き付きや残像の発生を防止することが可能となり、従来のＡＣ駆動制御構成をそのまま適用できる。
【００６０】
なお、図３を参照して説明したハイパスフィルタ（ＨＰＦ）１２１とローパスフィルタ（ＬＰＦ）１０３のフィルタリング特性は、高域強調サブフレームと高域抑圧サブフレームとが交互に表示される出力画像を見たユーザの網膜上での積分画像がオリジナル画像を見た場合とほぼ同一のレベルとなる設定とすることが好ましい。例えば、図７に示すように、ＨＰＦ、ＬＰＦの各周波数における通過およびカット割合が相互に補完的な設定となるフィルタリング特性となるようなフィルタとして構成とする。
【００６１】
図７に示すグラフは、図３を参照して説明したハイパスフィルタ（ＨＰＦ）１２１とローパスフィルタ（ＬＰＦ）１０３の入力周波数（横軸）に対する出力周波数（縦軸）特性を示している。ハイパスフィルタ（ＨＰＦ）１２１は低域成分をカットし高域成分を通過させ、ローパスフィルタ（ＬＰＦ）１０３は高域成分をカットし低域成分を通過させる特性であるが、図に示すように、それぞれのフィルタのカット分が、他方のフィルタの通過分に相当する設定とすることで、交互に出力されるサブフレーム画像の積分値は、オリジナル画像と等しくなり、サブフレームから構成される出力画像のユーザにおける視覚的認識画像は、オリジナル画像と同様となる。図３に示すハイパスフィルタ（ＨＰＦ）１２１とローパスフィルタ（ＬＰＦ）１０３は、このように相互に補完的なフィルタリング特性を持つ設定とすることが好ましい。
【００６２】
図８に図７に示すフィルタ出力特性を持つフィルタリング処理の例について説明する。図８（１）はフィルタリング処理を行なう前の画像の画素位置と輝度分布の例を示している。図８（２ａ）は、ＨＰＦを適用した高域強調画像であり、エッジ部分が強調された出力、すなわち高域強調サブフレームが生成されて出力される。図８（２ｂ）は、ＬＰＦを適用した高域抑圧画像であり、エッジ部分がなめらかにされた出力、すなわち高域抑圧サブフレームが生成されて出力される。ユーザは、これらの高域強調画像と、高域抑圧画像を交互に観察することになり、ユーザの網膜上ではこの２つのサブフレーム画像の積分結果の画像を認識する。この認識画像が図８（２ｃ）に示す画像、すなわち（２ａ）＋（２ｂ）を認識することになる。この（２ｃ）＝（２ａ）＋（２ｂ）の画像が、図８（１）の処理前画像と同様のレベルであれば、サブフレームから構成される出力画像のユーザにおける視覚的認識画像は、オリジナル画像と同様となる。図３に示すハイパスフィルタ（ＨＰＦ）１２１とローパスフィルタ（ＬＰＦ）１０３を図７に示すように相互に補完的なフィルタリング特性を持つ設定とすることで、図８（２ｃ）に示す画像は、図８（１）の処理前画像と同様となり、サブフレームから構成される出力画像のユーザにおける視覚的認識画像は、オリジナル画像と同様となる。
【００６３】
次に、図９を参照して、本発明の処理を適用した場合において、ＬＣＤ等の表示装置の表示画素に表示されるデータについて説明する。図９（Ａ）は、処理対象となる入力画像をディスプレイに表示した場合の垂直（縦）方向の表示画素を時系列にｔ０，ｔ２，ｔ４，ｔ６の４フレーム分、示している。図に示す表示部２０１に示される縦ラインに対応するｔ０，ｔ２，ｔ４，ｔ６の４フレームの画素データである。入力画像は６０Ｈｚ画像であるので、ｔ０，ｔ２，ｔ４，ｔ６の各々の間隔は、１／６０ｓｅｃである。
【００６４】
本発明の画像表示装置では、図３を参照して説明したフレーム制御部１０１において、入力画像信号（例えば６０Ｈｚ画像信号）をｎ倍速化して、１つのオリジナルフレームからｎ個のサブフレームを生成する。ｎ＝２とした場合、１つのオリジナルフレームから２個のサブフレームを生成して１２０Ｈｚ画像信号を生成する。
【００６５】
この１２０Ｈｚ画像信号をディスプレイ表示した場合の例が、図９（Ｂ）に対応する。この表示処理例は、先に図４を参照して説明した信号処理を行ったデータをそのまま表示した場合の表示例に相当する。時間ｔ０〜ｔ１、ｔ１〜ｔ２・・・の間隔は１／１２０ｓｅｃであり、１２０Ｈｚでのサブフレーム表示がなされることになる。
【００６６】
本発明の画像表示装置では、さらに、サブフレームの各々を交互に高域強調サブフレームと高域抑圧サブフレームに設定して出力する。すなわち、高域強調サブフレームは、図３に示すハイパスフィルタ（ＨＰＦ）１２１において高域通過フィルタリング処理がなされたＨＰＦ処理データと、加算器１２２において、フィルタリング処理実行前のデータとの加算結果として生成される高域強調サブフレームであり、高域抑圧サブフレームは、図３に示すローパスフィルタ（ＬＰＦ）１０３において低域通過フィルタリング処理によって、空間周波数の高い部分がカットされた高域抑圧サブフレームである。
【００６７】
この処理結果の出力が、図９（Ｃ）に示す構成となる。図９（Ｃ）において、時間ｔ０〜ｔ１、ｔ１〜ｔ２・・・の間隔は１／１２０ｓｅｃであり、１２０Ｈｚで、高域強調サブフレームと高域抑圧サブフレームとが交互に出力される。このようなサブフレーム出力を行なうことで、ブラー（Ｂｌｕｒｒｉｎｇ）現象の低減とともに、明るさやコントラストの低下することのない画像表示が実現される。
【００６８】
最後に、図１０に示すフローチャートを参照して本発明の画像表示装置において実行する処理シーケンスについて説明する。この図１０に示すフローに従った処理は、図３に示す画像表示装置において実行される。なお、全体的な処理制御は、図３に示す制御部１０５によって実行される。例えば、制御部１０５はＣＰＵを有しメモリに記録されたコンピュータ・プログラムに従った処理制御を行なう。
【００６９】
図１０に示すフローチャートの各ステップの処理について説明する。まず、ステップＳ１０１において、入力画像信号（例えば６０Ｈｚ画像信号）をｎ倍速化して、１つのオリジナルフレームからｎ個のサブフレームを生成するサブフレーム生成処理を実行する。この処理は、図３を参照して説明したフレーム制御部１０１において実行される。
【００７０】
次に、ステップＳ１０２ａ，Ｓ１０２ｂにおいて、高域強調サブフレームと高域抑圧サブフレームの生成処理を実行する。ステップＳ１０２ａにおいて、図３に示すハイパスフィルタ（ＨＰＦ）１２１の高域通過フィルタリング処理によってＨＰＦフィルタ結果を生成し、加算器１２２において、さらにフィルタリング処理実行前のデータとの加算処理を実行して高域強調サブフレームを生成する。さらに、ステップＳ１０２ｂにおいて、図３に示すローパスフィルタ（ＬＰＦ）１０３における低域通過フィルタリング処理によって、空間周波数の高い部分がカットされた高域抑圧サブフレームを生成する。
【００７１】
次に、ステップＳ１０３において、高域強調サブフレームと高域抑圧サブフレームの交互出力による表示処理を実行する。これは、図３に示すセレクタ１０４における処理であり、制御部１０５からの出力タイミング制御信号に従って、高域強調サブフレームと高域抑圧サブフレームが１２０Ｈｚで交互出力され表示される。この結果表示されるデータは、前述したように、ブラー（Ｂｌｕｒｒｉｎｇ）現象の低減がなされ、かつ明るさやコントラストの低下することのない画像となる。
【００７２】
なお、上述した実施例では、入力画像を６０Ｈｚ、フレーム分割数ｎ＝２、出力画像を１２０Ｈｚとした例を説明したが、入出力画像の組み合わせはこの組み合わせに限られず、入力画像より高速でフレーム切り替えを行なうようにオリジナルフレームに基づくサブフレームを設定して、設定したサブフレームを高域強調サブフレームと高域抑圧サブフレームが交互に表示される設定とすれば、同様の効果が得られる。
【００７３】
例えば、フレーム分割数ｎ＝４として、６０Ｈｚ対応の１つのオリジナルフレーム：ａから４つのサブフレーム：ａ１，ａ２，ａ３，ａ４を生成して、２４０Ｈｚのサブフレーム画像を生成し、これらの４つのサブフレームについて、高域強調サブフレームと高域抑圧サブフレームを、例えば、
ａ１：高域強調サブフレーム
ａ２：高域抑圧サブフレーム
ａ３：高域強調サブフレーム
ａ４：高域抑圧サブフレーム
上記ａ１〜ａ４のように交互に設定して、これらのサブフレームを１／２４０ｓｅｃ間隔で出力表示する構成としてもよい。
【００７４】
また、上述の実施は例では、表示装置としてＬＣＤを例にして説明したが、ＬＣＤに限らず面ホールド型の表示を行なう表示装置であれば、例えば有機ＥＬディスプレイなどのその他の表示装置においても、本発明は適用可能であり、ブラー（Ｂｌｕｒｒｉｎｇ）現象の低減と、明るさやコントラストの低下のない画像の表示を実現することができる。
【００７５】
以上、特定の実施例を参照しながら、本発明について詳解してきた。しかしながら、本発明の要旨を逸脱しない範囲で当業者が該実施例の修正や代用を成し得ることは自明である。すなわち、例示という形態で本発明を開示してきたのであり、限定的に解釈されるべきではない。本発明の要旨を判断するためには、特許請求の範囲の欄を参酌すべきである。
【００７６】
また、明細書中において説明した一連の処理はハードウェア、またはソフトウェア、あるいは両者の複合構成によって実行することが可能である。ソフトウェアによる処理を実行する場合は、処理シーケンスを記録したプログラムを、専用のハードウェアに組み込まれたコンピュータ内のメモリにインストールして実行させるか、あるいは、各種処理が実行可能な汎用コンピュータにプログラムをインストールして実行させることが可能である。
【００７７】
例えば、プログラムは記録媒体としてのハードディスクやＲＯＭ（Read Only Memory)に予め記録しておくことができる。あるいは、プログラムはフレキシブルディスク、ＣＤ−ＲＯＭ(Compact Disc Read Only Memory)，ＭＯ(Magneto optical)ディスク，ＤＶＤ(Digital Versatile Disc)、磁気ディスク、半導体メモリなどのリムーバブル記録媒体に、一時的あるいは永続的に格納（記録）しておくことができる。このようなリムーバブル記録媒体は、いわゆるパッケージソフトウエアとして提供することができる。
【００７８】
なお、プログラムは、上述したようなリムーバブル記録媒体からコンピュータにインストールする他、ダウンロードサイトから、コンピュータに無線転送したり、ＬＡＮ(Local Area Network)、インターネットといったネットワークを介して、コンピュータに有線で転送し、コンピュータでは、そのようにして転送されてくるプログラムを受信し、内蔵するハードディスク等の記録媒体にインストールすることができる。
【００７９】
なお、明細書に記載された各種の処理は、記載に従って時系列に実行されるのみならず、処理を実行する装置の処理能力あるいは必要に応じて並列的にあるいは個別に実行されてもよい。また、本明細書においてシステムとは、複数の装置の論理的集合構成であり、各構成の装置が同一筐体内にあるものには限らない。
【産業上の利用可能性】
【００８０】
以上、説明したように、本発明の一実施例の構成によれば、フレームを時分割して生成したサブフレームに基づいて、高域強調サブフレームと高域抑圧サブフレームとを生成して、これらを例えば１／１２０ｓｅｃごとに交互に表示する構成とした。本構成により、明るさやコントラストを低下させることなくブラー（Ｂｌｕｒｒｉｎｇ）現象を低減した画像表示が実現される。すなわち、ブラー（Ｂｌｕｒｒｉｎｇ）現象の目立つ領域であるコントラスト変化が激しい部分（エッジ）、や輪郭等、周波数の高い画像領域（高域）を抑圧した高域抑圧サブフレームを、高域強調サブフレームの間に表示することで、ブラー（Ｂｌｕｒｒｉｎｇ）現象が低減され、また、高域抑圧サブフレームの挿入による画質に対する影響を高域強調サブフレームで補うことで、明るさやコントラストの低下のない画像表示を実現する画像表示装置や信号処理装置が提供可能となる。
【００８１】
また、本発明の一実施例の構成によれば、フレーム毎に電圧極性を＋と−とで反転させる所謂ＡＣ駆動を行なっても、黒画像のような極性０の画像を挿入することがないので、焼き付きや残像の発生を防止することが可能となり、従来のＡＣ駆動制御構成をそのまま適用できる画像表示装置や信号処理装置が実現される。
【図面の簡単な説明】
【００８２】
【図１】面ホールド型の表示装置におけるブラー（Ｂｌｕｒｒｉｎｇ）の発生について説明する図である。
【図２】インパルス駆動型の表示におけるブラー（Ｂｌｕｒｒｉｎｇ）の減少について説明する図である。
【図３】本発明の画像表示装置における信号処理回路を示すブロック図である。
【図４】本発明の装置における出力信号のベースとなるサブフレームの生成、出力処理を説明する図である。
【図５】黒挿入処理に対応する入力および出力信号構成について説明する図である。
【図６】本発明の信号処理に従った入出力信号の対応を示す図である。
【図７】ハイパスフィルタ（ＨＰＦ）とローパスフィルタ（ＬＰＦ）の入力周波数に対する出力周波数特性の一例を示す図である。
【図８】図７に示すフィルタ出力特性を持つフィルタリング処理例について説明する図である。
【図９】本発明の処理を適用した場合におけるＬＣＤ等の表示装置の表示画素に表示されるデータについて説明する図である。
【図１０】本発明の画像表示装置において実行する処理シーケンスについて説明するフローチャートを示す図である。
【符号の説明】
【００８３】
１０  オブジェクト
１１  視線移動軌跡
１５  視線移動軌跡
２１，２２  ユーザ
３０  オブジェクト
３１  視線移動軌跡
４１  ユーザ
１０１  フレーム制御部
１０２  高域強調サブフレーム生成部
１０３  ローパスフィルタ（ＬＰＦ）
１０４  セレクタ
１０５  制御部
１２１  ハイパスフィルタ（ＨＰＦ）
１２２  加算器
２０１  表示部
【図１】
2007304204.tif 000003
【図２】
2007304204.tif 000004
【図３】
2007304204.tif 000005
【図４】
2007304204.tif 000006
【図７】
2007304204.tif 000007
【図８】
2007304204.tif 000008
【図１０】
2007304204.tif 000009
【図５】
2007304204.tif 000010
【図６】
2007304204.tif 000011
【図９】
2007304204.tif 000012